(57)【要約】【課題】役物内の保留領域に進入した遊技球の保留状態を確実に検出し、かつ遊技球を確実に方向転換させることができる。【解決手段】役物内に、進入した遊技球をその直径より僅かに大きい幅のスペースに保留可能な保留領域３９２と、保留領域３９２内における幅Ｗのほぼ半分の領域に、上下動可能に配置され、かつ保留領域３９２に進入した遊技球を載置して所定の位置まで上昇移動させる載置部２４２を有する作動部材２４と、保留領域３９２に進入した遊技球が当接することにより、保留領域３９２の幅Ｗ内で、かつ作動部材２４の載置部２４２に対して上下方向に重合しない領域を遊技球の進入方向に沿って移動可能な検出部４２１ｃを有する検出レバー４２１を設ける。【選択図】  図１１
2009028121.tif 000002
【特許請求の範囲】
【請求項１】
遊技球が打ち込まれる遊技領域に、遊技球が入球可能な役物を備えた弾球遊技機において、
前記役物内に、進入した遊技球をその直径より僅かに大きい幅のスペースに保留可能な保留領域と、
前記保留領域内における幅のほぼ半分の領域に、上下動可能に配置され、かつ前記保留領域に進入した遊技球を載置して所定の位置まで移動させる載置部を有する作動部材と、
前記保留領域に進入した遊技球が当接することにより、前記保留領域の幅内で、かつ前記作動部材の載置部に対して上下方向に重合しない領域を遊技球の進入方向に沿って移動可能な検出部を有する検出レバーを設けたことを特徴とする弾球遊技機。
【請求項２】
前記検出レバーは、前記載置部に干渉しない上方を遊技球の進入方向に沿って移動可能な補助検出部を有し、
前記補助検出部は、遊技球が前記載置部により上昇移動した際、遊技球に対して当接可能としたことを特徴とする請求項１記載の弾球遊技機。
【請求項３】
前記検出レバーの検出部における遊技球が当接可能な当接面は、平面視において遊技球との当接点における遊技球の接線方向を向くように、遊技球の進入方向に対して傾斜することを特徴とする請求項１または２記載の弾球遊技機。
【発明の詳細な説明】
【技術分野】
【０００１】
本発明は、遊技球を遊技領域に打込んで遊技が行なわれる弾球遊技機に関する。
【背景技術】
【０００２】
弾球遊技機において、遊技領域には、遊技球が入賞可能な役物が設けられている。役物内には、入球した遊技球を取り込んで、遊技者にとって有利な特別遊技状態の発生を確定する特定領域または特定領域以外に振り分け可能なクルーンと呼ばれる振分回転体が設けられているものがある（例えば、特許文献１参照）。
【特許文献１】特開平８−３８６９９号公報
【発明の開示】
【発明が解決しようとする課題】
【０００３】
上述のような弾球遊技機において、例えば、役物内に入球した遊技球が振分回転体に至る経路の途中に、遊技球を一旦保留可能な保留領域を設け、この保留領域に進入して保留された遊技球を検出するとともに、遊技球を進入方向と直角な方向の上方へ方向転換させようとした場合、遊技球の保留状態を検出するための検出レバーと、遊技球の移動方向を方向転換させるための作動部材は、互いに交差する方向へ作動するため、各作動時に互いに干渉して、遊技球の保留状態を確実に検出することはできない。
【０００４】
本発明は、上述のような問題に鑑みてなされたもので、役物内の保留領域に進入した遊技球の保留状態を確実に検出し、かつ遊技球を確実に方向転換させることができるようにした遊技機を提供することを目的とする。
【課題を解決するための手段】
【０００５】
上記目的を達成するため、本発明に係る弾球遊技機は、遊技球が打ち込まれる遊技領域に、遊技球が入球可能な役物を備えた弾球遊技機において、前記役物内に、進入した遊技球をその直径より僅かに大きい幅のスペースに保留可能な保留領域と、前記保留領域内における幅のほぼ半分の領域に、上下動可能に配置され、かつ前記保留領域に進入した遊技球を載置して所定の位置まで移動させる載置部を有する作動部材と、前記保留領域に進入した遊技球が当接することにより、前記保留領域の幅内で、かつ前記作動部材の載置部に対して上下方向に重合しない領域を遊技球の進入方向に沿って移動可能な検出部を有する検出レバーを設けたことを特徴とする。この構成により、作動部材と検出レバーとは互いに干渉することなく、検出レバーにより役物内に設けた保留領域に進入した遊技球の保留状態を確実に検出し、作動部材により遊技球を移動させることができる。この移動方向は、以下に説明する実施形態では上昇の場合について説明しているが、本発明は、上昇の場合に限定されるものでなく、例えば、下降する場合等、種々の移動方向の対応が可能であることは勿論である。
【０００６】
本発明は更に、前記検出レバーは、前記載置部に干渉しない上方を遊技球の進入方向に沿って移動可能な補助検出部を有し、前記補助検出部は、遊技球が前記載置部により上昇移動した際、遊技球に対して当接可能としたことを特徴とする。この構成により、作動部材の載置部からの遊技球の脱落を防止することができるとともに、遊技球の検出を確実に行うことができる。
【０００７】
本発明は更に、前記検出レバーの検出部における遊技球が当接可能な当接面は、平面視において遊技球との当接点における遊技球の接線方向を向くように、遊技球の進入方向に対して傾斜することを特徴とする。この構成により、遊技球と検出レバーの検出部との当接を安定させて、遊技球の検出をより確実に行うことができる。
【発明の効果】
【０００８】
本発明によれば、上記構成により、作動部材と検出レバーとは互いに干渉することなく、保留領域に進入した遊技球を、検出レバーにより検出して、作動部材により方向転換させて移動させることができる。
【発明を実施するための最良の形態】
【０００９】
以下、本発明に係わる一実施形態を図面に基づいて説明する。図１は、本発明を適用した弾球遊技機の正面図である。なお、以下の説明においては、図１において図面手前を「前方または表面」とし、図面奥を「後方または裏面」とし、左方を「左方」とし、右方を「右方」とする。
【００１０】
図１に示すように、弾球遊技機をなすパチンコ機１は、遊技施設に据え付けられる外枠２と、外枠２内に固定され、表面に外側ガイドレール３と内側ガイドレール４とによって包囲された円形状の遊技領域５を形成した遊技盤６と、外枠２に支持されて、遊技盤６の表面を開閉可能なガラス枠扉７とを備えている。遊技盤６の裏側には、遊技機１の遊技を統括的に制御する制御回路部（図示略）、遊技球が入賞したとき予め定めた数の遊技球を賞球としてガラス枠扉７の下方に設けられた球貯留皿８に払い出す払出装置（図示略）、遊技球を遊技領域５に発射する発射装置（図示略）等が設けられている。
【００１１】
球貯留皿８に貯留されている遊技球は、ガラス枠扉７の右下に設けられた操作ハンドル９を回動操作することによって、発射装置から発射されて、外側ガイドレール３及び内側ガイドレール４により誘導されて遊技領域５に打ち込まれ、遊技領域５に植設された多数の遊技釘に当接しながら流下する。なお、遊技釘は、図面簡素化のため省略してある。
【００１２】
遊技領域５のほぼ中央には、後述の羽根部材１５が開閉動作しているとき、遊技領域５に打ち込まれた遊技球を、内部に受入可能な役物１０が配置されている。役物１０内に入球した遊技球が、役物１０内に設けた後述の特別遊技振分回転体１９により後述の特定領域部に振り分けられた場合には、遊技者にとって有利な特別遊技状態が発生する。役物１０の下方には、遊技球が通過または入賞可能な第１始動口１１及び左右の第２始動口１２がそれぞれ配置されている。さらに遊技領域５の最下部には、遊技領域５に打ち込まれた遊技球を遊技盤６の裏面側に排出するアウト口１３が設けられている。
【００１３】
図２は、役物１０の拡大正面図、図３は、役物１０を斜め前方から見たその斜視図、図４は、役物１０内の要部を示す一部破断斜視図、図５は、役物１０における縦断面図、図６は、図２におけるVI−VI線横断面図、図７は、要部の斜視図である。
【００１４】
役物１０は、遊技盤６の表面に固定される合成樹脂製のハウジング１４を備え、ハウジング１４の上部には、遊技領域５に打ち込まれた遊技球Ａをハウジング１４内に入球可能とする左右の入口１４２と、左右の入口１４２を開閉可能な左右の羽根部材１５が設けられている。
【００１５】
左右の羽根部材１５は、外側端部がハウジング１４の上部に前後方向を向く支軸１５１により上下方向へ揺動可能に枢支されるとともに、ハウジング１４の裏側上部に枢支されたリンク１６ａ、１６ｂを介してソレノイド（図示略）により連結され、遊技球Ａが第１始動口１１または第２始動口１２に入球したことを契機に１回または２回開閉動作する。羽根部材１５が閉鎖位置（図２に実線で示す位置）にあるときは、入口１４２を閉鎖して、遊技球Ａのハウジング１４内への入球を実質的に不能にし、また、同じく開放位置（図２に想像線で示す位置）にあるときは、入口１４２を開放して、遊技球Ａのハウジング１４内への入球を可能にする。
【００１６】
ハウジング１４内の上部中央には、入口１４２から入球した遊技球Ａが通過可能な導入口１４３が設けられている。導入口１４３の内部には、遊技球Ａの通過を検出可能なセンサ（図示略）が設けられている。センサが遊技球Ａの通過を検出すると、入賞信号が制御回路部に送信され、払出装置から予め定めた数の遊技球が賞球として球貯留皿８に払い出される。
【００１７】
主に図４に示すように、ハウジング１４内には、遊技球Ａを予め定めた方向へ誘導する第１、２及び第３通路１７、２０、２６並びに第１、２螺旋状回転体１８、２１と、遊技球Ａを予め定めた領域に振り分け可能な特別遊技振分回転体１９及びリトライ振分構造体を形成する一、二次リトライ振分体２２、２３と、遊技球Ａを上方へ搬送可能な上昇搬送機構２５と、上昇搬送機構２５に受け渡す遊技球Ａを後述のように制限する作動部材２４と、上昇搬送機構２５に受け渡される直前の遊技球Ａを検出する検出装置４２が設けられている。
【００１８】
第１通路１７は、導入口１４３の下方に設けられ、導入口１４３を通過して落下した遊技球Ａを受け止めて左斜め下方、すなわち第１螺旋状回転体１８へ誘導する。
【００１９】
第１螺旋状回転体１８は、ハウジング１４内の左部に上下方向を向く第１回転軸２７により枢支されるとともに、ハウジング１４の底部に取り付けられた後述の第１モータ２８の動力により第１回転軸２７と共に図６において時計方向へ回転する。第１螺旋状回転体１８には、第１通路１７により誘導された遊技球Ａを受け止め、螺旋軌道を描きつつ下方へ誘導する螺旋状スロープ１８１が設けられている。なお、第１螺旋状回転体１８とその下方に設けられる第２螺旋状回転体２１のほぼ左半分の周囲は、遊技球Ａが落下しないように、ハウジング１４に設けられたカバー部１４６により覆われる。また、第１螺旋状回転体１８と第２螺旋状回転体２１との間は、第１螺旋状回転体１８に誘導された遊技球Ａが第２螺旋状回転体２１へ移動しないように、ハウジング１４に設けられた水平方向の区画板１４４により区画されている。
【００２０】
特別遊技振分回転体１９は、表面中央部が凸の丘陵円板状をなすとともに、第１通路１７の下方に設けられた皿状の特別遊技振分受皿３４のほぼ中央に上下方向を向く大径の第２回転軸３０により枢支され、第１モータ２８の動力により図６において時計方向へ回転する。特別遊技振分回転体１９には、外周が開口し、遊技球Ａを受入可能な複数（本実施形態においては１０個）の通常搬送部１９１が周方向に沿って等間隔で設けられ、また、同じく中央部には、上下方向へ貫通し、遊技球Ａが通過可能な特定入賞口１９２が設けられている。なお、通常搬送部１９１及び特定入賞口１９２の数及び位置は、本実施形態に特定されるものでなく、必要に応じて適宜変更可能である。
【００２１】
第２回転軸３０は、その下端部が特別遊技振分回転体１９の中央上部に連設されるとともに、その下端部には、特定入賞口１９２の真上において水平方向へ貫通し、遊技球Ａが進入可能なトンネル３０１が設けられている。また、第２回転軸３０の下端部におけるトンネル３０１以外の領域は、遊技球Ａが特定入賞口１９２に入球することを邪魔する障害部３０２として作用する。
【００２２】
第１螺旋状回転体１８の螺旋状スロープ１８１により誘導された遊技球Ａは、特別遊技振分受皿３４内に放出され、特別遊技振分回転体１９の通常搬送部１９１または特定入賞口１９２のいずれかに入球する。この場合、遊技球Ａが、回転している第１螺旋状回転体１８の螺旋状スロープ１８１の下端部に設けられた排出部１８１ａから特別遊技振分受皿３４内に放出されるため、遊技球Ａの放出方向は、遊技球Ａが特別遊技振分受皿３４内に放出されるときの排出部１８１ａの位置や遊技球Ａの放出速度等により決まり、その都度変化して予測不可能である。
【００２３】
遊技球Ａが特定入賞口１９２に入球するには、回転している特別遊技振分回転体１９の上面に乗り上げ、かつ回転軸３０の障害部３０２を避けてトンネル３０１に進入する必要がある。このため、遊技球Ａが特定入賞口１９２に入球する可能性は、通常搬送部１９１に入球する可能性よりも極めて低い。
【００２４】
特定入賞口１９２に入球した遊技球Ａは、特別遊技振分受皿３４のほぼ中央に設けられた特定落し孔３４１から落下して、第２通路２０により左斜め下方へ誘導され、第２通路２０の下端部に設けられた特定領域部をなす特別入賞検出センサ３５を通過した後、排出ガイド部１４５を通って遊技盤６の裏面側に排出される。
【００２５】
通常搬送部１９１に入球した遊技球Ａは、特別遊技振分回転体１９の回転に伴って周方向へ搬送され、特別遊技振分受皿３４に設けられたリトライ落し孔３４２から落下して第２螺旋状回転体２１に誘導され、ハウジング１５内に形成されるリトライ抽選領域部１４Ａへ誘導される。すなわち、特別遊技振分回転体１９は、役物１０内に入球した遊技球Ａを、遊技を遊技者にとって有利な特別遊技状態の発生を確定する特別入賞検出センサ３５または確定しないリトライ抽選領域部１４Ａに振り分ける。
【００２６】
リトライ抽選領域部１４Ａは、特別遊技振分回転体１９の下方に設けられるとともに、後述のように、一次リトライ振分体２２及び二次リトライ振分体２３が配置され、特別遊技振分回転体１９により振り分けられた遊技球Ａを特別遊技状態が発生する可能性が消失するはずれ領域部またはそれ以外の領域に振り分け可能、すなわち特別遊技状態の発生を確定しない領域である。
【００２７】
特別入賞検出センサ３５は、遊技球Ａの通過を検出すると、特別遊技状態の発生を確定する特別権利発生信号を制御回路部に送信する。制御回路部は、特別権利発生信号の入力に基づいて、特別遊技制御を実行して特別遊技状態を発生させる。特別遊技状態が発生すると、左右の羽根部材１５が所定回数開閉動作を行い、その期間に遊技球Ａが特定入賞口１９２に再び入賞すると、左右の羽根部材１５が再び所定回数開閉動作を繰り返すラウンドを継続することができる。これにより、遊技球Ａが特定入賞口１９２に入賞した場合、遊技者は短時間に大量の遊技価値（賞球）を得ることができる。
【００２８】
第２螺旋状回転体２１は、第１螺旋状回転体１８の下方において第１回転軸２７と一体的に回転可能に支持されるとともに、特別遊技振分回転体１９の通常搬送部１９１に入球して、リトライ落し孔３４１から落下した遊技球Ａを受け止め、螺旋軌道を描きつつ下方へ誘導して一次リトライ振分体２２へ誘導する螺旋状スロープ２１１が設けられている。
【００２９】
第１、２螺旋状回転体１８、２１を回転させるための第１モータ２８は、ハウジング１４の下部に取り付けられ、図７に示すように、その出力軸に固定されたギヤ２８１、ギヤ２８１に噛合し、かつ第１回転軸２７の下端に固定されたギヤ２９を介して、その動力を第１回転軸２７に伝達し、第１、２螺旋状回転体１８、２１を回転させる。第１回転軸２７の回転は、第１回転軸２７の上端に固定されたギヤ３３、ギヤ３３に噛合する中間ギヤ３２、及び中間ギヤ３２に噛合し、かつ第２回転軸３０の上端に固定されるギヤ３１を介して、特別遊技振分回転体１９に伝達される。これにより、１個の第１モータ２８により、第１、２螺旋状回転体１８、２１及び特別遊技振分回転体１９を同時に同一方向へ回転させることができる。
【００３０】
図８は、図２におけるVIII−VIII線横断面図である。一次リトライ振分体２２は、特別遊技振分受皿３４の下方に設けられたリトライ抽選領域部１４Ａの一部を形成する皿状のリトライ振分受皿３６のほぼ中央部に上下方向を向く支軸３７により枢支され、ハウジング１４の底部に設けられる後述の振分駆動構造体５０により時計方向へ回転する。一次リトライ振分体２２には、第２螺旋状回転体２１から放出された遊技球Ａが入球可能なはずれ搬送部２２１及びリトライ搬送部２２２が互い違いに周方向に沿って３個ずつ設けられている。はずれ搬送部２２１は、リトライ搬送部２２２よりも内周側に設けられる。なお、はずれ搬送部２２１及びリトライ搬送部２２２の数及び位置は、本実施形態に特定されるものでなく、必要に応じて適宜変更可能である。
【００３１】
第２螺旋状回転体２１の螺旋状スロープ２１１により誘導された遊技球Ａは、螺旋状スロープ２１１の下端部に設けられた排出部２１１ａからリトライ振分受皿３６内に放出されることにより、一次リトライ振分体２２のはずれ搬送部２２１またはリトライ搬送部２２２のいずれかに入球する。この場合も、第１螺旋状回転体１８から特別遊技振分受皿３４内に放出される遊技球Ａと同様に、遊技球Ａが、回転している第２螺旋状回転体２１の螺旋状スロープ２１１の排出部２１１ａからリトライ振分受皿３６内に放出されるため、遊技球Ａの放出方向は、遊技球Ａがリトライ振分受皿３６内に放出されるときの排出部２１１ａの向きや遊技球Ａの放出速度等により決まり、その都度変化して予測不可能である。
【００３２】
一次リトライ振分体２２のはずれ搬送部２２１に入球した遊技球Ａは、一次リトライ振分体２２の回転に伴って周方向へ搬送され、リトライ振分受皿３６に設けられたはずれ落し孔３６１の真上に達すると、そこから落下して遊技盤６の裏面側に排出され、特別遊技状態が発生する可能性が消失する。
【００３３】
リトライ搬送部２２２に入球した遊技球Ａは、一次リトライ振分体２２の回転に伴って周方向へ搬送され、リトライ振分受皿３６に設けられたリトライ落し孔３６２の真上に達すると、そこから落下して、リトライ振分受皿３６の下方に設けられたリトライ通路３９に落下する。
【００３４】
すなわち、一次リトライ振分体２２は、特別遊技振分回転体１９によりリトライ抽選領域部１４Ａに振り分けられた遊技球Ａを、特別遊技状態が発生する可能性が消失するはずれ領域部（本実施形態においてははずれ落し孔３６１に相当）またはそれ以外の領域（本実施形態においてはリトライ通路３９に相当）に振り分ける。
【００３５】
リトライ通路３９は、リトライ振分受皿３６の下方に設けられてリトライ抽選領域部１４Ａの一部を形成するもので、リトライ落し孔３６２から落下した遊技球Ａを右方、すなわち二次リトライ振分体２３へ向けて転動させるように右方へ下り勾配となっており、かつその右部は直進して作動部材２４を介して上昇搬送機構２５へ向かう経路と、排出口４０へ向かう経路とに分岐され、その分岐点に二次リトライ振分体２３が設けられている。
【００３６】
図９、１０は、二次リトライ振分体２３及びその周辺の要部を示す平面図である。二次リトライ振分体２３は、上下方向を向く軸２３１により水平方向へ揺動可能にリトライ振分受皿３６に枢支されるとともに、遠心方向へ延出する誘導部２３２が、振分駆動構造体５０における後述の第２ギヤ５０４の回転に従動して、リトライ通路３９に突出するはずれ誘導位置（図８、１０参照）と、はずれ誘導位置から反時計方向へ所定量回動してリトライ通路３９の側面と平坦になるリトライ誘導位置（図９参照）との間を所定のタイミングで往復動作する。
【００３７】
リトライ通路３９を転動した遊技球Ａは、二次リトライ振分体２３がはずれ誘導位置にあるとき、誘導部２３２により排出口４０へ振り分けられ、また、二次リトライ振分体２３がリトライ誘導位置にあるとき、リトライ通路３９の右端部に形成される保留領域３９２へ向かう経路に振り分けられる。排出口４０へ振り分けられた遊技球Ａは、排出口４０を通過した後、排出ガイド１４５を通って遊技盤６の裏側に排出されて、特別遊技状態が発生する可能性が消失する。また、保留領域３９２へ向かう経路に振り分けられた遊技球Ａは、その移動が後述のように作動部材２４により制限され、上昇搬送機構２５により１個ずつ上方へ搬送されて、特別遊技振分回転体１９に返戻される。すなわち、二次リトライ振分体２３は、特別遊技振分回転体１９によりリトライ抽選領域部１４Ａに振り分けられ、かつ一次リトライ振分体２２を通過した遊技球Ａを、特別遊技状態が発生する可能性が消失するはずれ領域部（本実施形態においては排出口４０に相当）または保留領域３９２へ向かう方向へ振り分ける。
【００３８】
図１１は、作動部材２４及びその周辺の拡大平面図、図１２、１３は、作動部材２４の動作を示す図８におけるXI−XI線縦断面図である。なお、図１２、１３において、検出レバー４２１は、本来２点鎖線で示すべきであるが、説明の便宜上、実線で示している。作動部材２４は、上昇搬送機構２５の下端部近傍の前側に配置され、その左端部がリトライ通路３９の底部に前後方向（水平方向）を向く軸２４１により上下方向へ揺動可能に枢支されるとともに、その右端部には、保留領域３９２に設けられた窓部３９１から覗いて上下動可能な載置部２４２が設けられ、振分駆動構造体５０の第２ギヤ５０４の回転に従動して、載置部２４２が窓部３９１内に僅かに没入した下降位置（図１２参照）と、リトライ通路３９の表面よりも上方へ突出する上昇位置（図１３参照）との間を所定のタイミングで往復動作する。
【００３９】
保留領域３９２は、リトライ通路３９を転動してきた遊技球Ａを１個に制限して進入させて保留するように、遊技球Ａの直径より僅かに大きい幅Ｗ（図８、１１参照）を有するように形成される。
【００４０】
作動部材２４の載置部２４２は、図１１に示すように、保留領域３９２における幅Ｗのほぼ半分の幅Ｗ１を有するように形成され、保留領域３９２に進入した遊技球Ａをその半分を載置して上昇移動させる。
【００４１】
二次リトライ振分体２３により保留領域３９２に向かう方向へ振り分けられた遊技球Ａは、作動部材２４が下降位置にあるとき、保留領域３９２に進入して載置部２４２に載置され、また、作動部材２４が上昇位置にあるとき、図１３に想像線で示すように、保留領域３９２の表面よりも突出している載置部２４２の手前で停止する。
【００４２】
載置部２４２に載置された遊技球Ａは、作動部材２４が下降位置から上昇位置へ移動することにより、載置部２４２の後方に設けられた段差部４１３を乗り越えて上昇搬送機構２５へ送出されて、上述のように上方へ搬送されて特別遊技振分回転体１９に返戻される。なお、載置部２４２の上面は、載置した遊技球Ａが後方、すなわち上昇搬送機構２５の下端部へ向けて転動するように後方へ下り勾配となっている。また、作動部材２４が下降位置にある場合、載置部２４２に載置された遊技球Ａは、段差部４１３により後方への転動が阻止されるため、上昇搬送機構２５に送り込まれることはない。
【００４３】
図１４、１５は、上昇搬送機構２５及びその周辺の要部を示す斜視図である。上昇搬送機構２５は、ハウジング１４内の右部に枢支された上下方向を向く第３回転軸２５１と共に回転可能な螺旋杆２５２と、螺旋杆２５２の近傍に配置される上下方向の２本の支持棒２５３により昇降可能に支持され、螺旋杆２５２の回転に伴って遊技球Ａと共に昇降可能なキャリヤ２５４と、キャリヤ２５４の昇降経路を除く螺旋杆２５２の周囲を囲む搬送カバー４１とを含む。
【００４４】
螺旋杆２５２は、遊技球Ａが転走可能な上下方向を向く螺旋溝２５２ａを有し、振分駆動構造体５０の動力により螺旋溝２５２ａの巻き方向（反時計方向）と同一方向へ回転する。
【００４５】
キャリヤ２５４は、螺旋溝２５２ａに対向する側が開口し、遊技球Ａを保持可能な保持部２５４ａを有し、最下位置（図５に実線で示す位置及び図１３に示す位置）にあるとき、作動部材２４の載置部２４２から送り出された遊技球Ａを保持部２５４ａと螺旋溝２５２ａとの間に取り込んで保持することにより、遊技球Ａを介して螺旋溝２５２ａに対して間接的に係合し、螺旋杆２５２の回転に伴って、螺旋溝２５２ａを相対的に転送して漸次上昇する遊技球Ａと共に最下位置から最上位置（図５に想像線で示す位置）まで上昇する。なお、キャリヤ２５４と螺旋溝２５２ａとの間に遊技球Ａを保持していない状態においては、キャリヤ２５４と螺旋溝２５２ａとは互いに係合関係にないため、螺旋杆２５２の回転に伴って、キャリヤ２５４のみが上昇することはない。
【００４６】
キャリヤ２５４が遊技球Ａと共に最上位置まで上昇すると、遊技球Ａは、ハウジング１４の上部から下方へ向けて突出して設けられた押出片１４７に当接し、螺旋溝２５２ａの回転移動との相互作用によってキャリヤ２５４から前方へ押し出され、搬送カバー４１の上端に設けられた排出口４１２から第３通路２６に放出される。これにより、キャリヤ２５４と螺旋溝２５２ａとの係合関係が解除され、キャリヤ２５４は、その自重により最下位置まで降下して、次の遊技球Ａを搬送可能な状態で待機する。
【００４７】
なお、本実施形態においては、螺旋杆２５２が５回転すると、キャリヤ２５４及び遊技球Ａが共に最下位置から最上位置に上昇するように、螺旋溝２５２ａの巻き数が設定されている。
【００４８】
キャリヤ２５４には、その前面に色彩、模様、文字及び／またはキャラクタ等を描いた表示部２５４ｂが設けられている。表示部２５４ｂは、遊技球Ａが上方へ搬送される際の演出効果をより高めるものであり、この表示２５４ｂを視認することにより、遊技球Ａの搬送状況を確認することができる。
【００４９】
図１６は、図１４におけるXIV矢視図、図１７、１８は、検出装置４２及びその周辺の要部の斜視図である。図１６に示すように、振分駆動構造体５０は、リトライ振分受皿３６の下部に取り付けられる第２モータ５０１と、第２モータ５０１の出力軸に固着されたピニオン５０２に噛合する第１ギヤ５０３及び大径の第２ギヤ５０４（作動部材用ギヤ）と、第１ギヤ５０３に噛合する第３ギヤ５０５（螺旋杆用ギヤ）と、第２ギヤ５０４に噛合する第４ギヤ５０６と、第４ギヤ５０６に噛合する第５ギヤ５０７とを含む。
【００５０】
第２ギヤ５０４は、その回転により、後述のように二次リトライ振分体２３及び作動部材２４をそれぞれのタイミングで動作させるためのもので、螺旋杆２５２と一体的に回転する第３回転軸２５１の下部に回転可能に遊嵌される。第３ギヤ５０５は、螺旋杆２５２を回転させるもので、第３回転軸２５１の下部に固定される。第５ギヤ５０７は、一次リトライ振分体２２と一体的に回転する支軸３７の下部に固定される。
【００５１】
第２モータ５０１の回転は、第２ギヤ５０４に対してはピニオン５０２を介して伝達され、螺旋杆２５２に対してはピニオン５０２、第１ギヤ５０３、第３ギヤ５０５及び第３回転軸２５１を介して伝達され、また、一次リトライ振分体２２に対してはピニオン５０２、第２ギヤ５０４、第４ギヤ５０６、第５ギヤ５０７及び支軸３７を介して伝達される。
【００５２】
第１、２及び第３ギヤ５０３、５０４及び５０５の歯数は、第２モータ５０１の回転により、第２ギヤ５０４が一回転する間に、螺旋杆２５２が６回転するように設定されている。すなわち、前述のように、螺旋杆２５２が５回転すると、キャリヤ２５４及び遊技球Ａが最下位置から最上位置に移動するように、各ギヤの歯数が設定されているため、螺旋杆２５２の６回転に相当する第２ギヤ５０４の一回転する時間は、キャリヤ２５４が最下位置から最上位置まで上昇して遊技球Ａを第３通路２６に放出した後、再び最下位置に戻るまでの搬送循環時間よりも僅かに長時間となる。
【００５３】
第２ギヤ５０４は、第３回転軸２５１の下端部にあって、二次リトライ振分体２３及び作動部材２４の真下に配置されるとともに、その上面には、周方向へ所定の長さを有し、かつ上方へ突出する山形状の１個の突条部５０４ａと、上方へ突出する複数（本実施形態においては４個）の係合突部５０４ｂが設けられている。
【００５４】
突条部５０４ａは、第２ギヤ５０４が一回転する毎に、作動部材２４をその下部に当接して下方から押し上げることにより下降位置から上昇位置に変位させる。なお、作動部材２４は、突条部５０４ａに対して当接していないときはその自重をもって下降位置に移動して保持される。
【００５５】
作動部材２４は、第２ギヤ５０４が一回転する毎に、突条部５０４ａに対する当接、離脱により上昇位置と下降位置との間を一往復する取込動作をして、遊技球Ａを１個に制限して上昇搬送機構２５へ送出する。
【００５６】
上述のように構成することにより、作動部材２４の取込動作時間は、第２ギヤ５０４の一回転に相当し、かつキャリヤ２５４の搬送循環動作時間よりも僅かに長時間となる。このため、作動部材２４から送出された遊技球Ａがキャリヤ２５４と共に最下位置から最上位置へ向けて移動している途中、すなわち、キャリヤ２４が最下位置にいないとき、作動部材２４が後続の遊技球Ａを螺旋杆２５２の螺旋溝２５２ａに送り込むようなことはない。例えば、キャリヤ２５４が最下位置以外の位置にあるとき、作動部材２４から遊技球Ａが螺旋溝２５４ａに送り込まれると、その遊技球Ａを上昇させることが不能となり、遊技球Ａとキャリヤ２５４とが干渉したりして、上昇搬送機構２５の作動不良、故障を招くこととなる。しかし、本実施形態のように、キャリヤ２５４が最下位置にいないときは、遊技球Ａが螺旋溝２５４ａに送り込まれないように、作動部材２４の取込動作タイミングを設定したことにより、上昇搬送機構２５の作動不良、故障を防止して、遊技球Ａを確実に１個ずつ上昇させることができる。
【００５７】
また、前述のように、第２モータ５０１の回転により、作動部材２４を作動させるための第２ギヤ５０４が一回転する間に、螺旋杆２５２が６回転するようにしたこと、換言すると、螺旋杆２５２を回転させるための第３ギヤ５０５及び第２ギヤ５０４のギヤ比を、第２ギヤ５０４が一回転する間（作動部材２４が下降位置と上昇位置との間を往復動作する間）、第３ギヤ５０５がキャリヤ２５４を最下位置から最上位置まで上昇させるために必要な螺旋杆２５２の回転数（５回転）に１加算した数を回転するように設定したことにより、キャリヤ２５４が最下位置に戻った直後、作動部材２４をタイミング良く上昇位置に移動させて、作動部材２４の載置部２４２に載置された遊技球Ａをキャリヤ２５４に確実に受け渡すことができる。なお、第３ギヤ５０５及び第２ギヤ５０４のギヤ比は、本実施形態に特定されるものではなく、第２ギヤ５０４が一回転する間、第３ギヤ５０５がキャリヤ２５４を最下位置から最上位置まで上昇させるために必要な螺旋杆２５２の回転数よりも、少なくとも多く回転するような設定であれば良い。
【００５８】
主に図９に示すように、各係合突部５０４ｂは、第２ギヤ５０４の上面に周方向へ９０度間隔で設けられ、第２ギヤ５０４の時計方向への回転に伴って、二次リトライ振分体２３をその下部に設けられたアーム部２３３に当接することにより側方へ押動してリトライ誘導位置からはずれ誘導位置へ揺動させる。
【００５９】
二次リトライ振分体２３は、はずれ誘導位置に移動した後、第２ギヤ５０４の時計方向への回転に伴って、アーム部２３３が係合軸部５０４ｂから外れると、ばね２３４の付勢力により、はずれ誘導位置からリトライ誘導位置に復帰する。なお、ばね２３４は、一端がリトライ振分受皿３６の底部に掛止され、他端が二次リトライ振分体２３に掛止される。これにより、二次リトライ振分体２３は、第２ギヤ５０４が一回転すると、４個の係合突部５０４ｂとの当接関係によりリトライ誘導位置とはずれ誘導位置との間を４回往復動作する。
【００６０】
検出装置４２は、保留領域３９２に遊技球Ａが保留されているか否かを検出するもので、保留領域３９２への遊技球Ａの進入に応じて作動可能な検出レバー４２１と、検出レバー４２１の作動を検出する門型の光電式の検出センサ４２２とを含む。
【００６１】
検出レバー４２１は、保留領域３９２の前方に前後方向を向く軸４２１ａにより左右方向へ揺動可能に枢支されるとともに、載置部２４２の前方に配置され、かつ保留領域３９２に進入した遊技球Ａが当接可能な検出部４２１ｃと、載置部２４２の上方に配置され、かつ載置部２４２と共に上昇移動した遊技球Ａが当接可能な補助検出部４２１ｂと、検出センサ４２２の発光部（図示略）と受光部（図示略）との間の検出部間に進退可能なアーム部４２１ｅを有している。また、作動部材２４の左方に延出するアーム部には、作動部材２４を待機位置（図１２、１８参照）に付勢する錘４２３が設けられている。
【００６２】
検出部４２１ｃは、保留領域３９２内で、かつ載置部２４２に対して上下方向に重合しない領域を遊技球Ａの進入方向（左右方向）に沿って移動可能である。検出部４２１の当接面４２１ｄ、すなわち遊技球Ａが当接可能な面は、図１１に示すように、平面視において遊技球Ａとの当接点Ｂにおける遊技球Ａの接線方向Ｔを向くように、遊技球Ａの進入方向へ傾斜している。補助検出部４２１ｂは、検出部４２１ｃのほぼ上半部から前方へ突出し、かつ載置部２４２が上方位置にあっても、載置部２４２に干渉しないようにその上方を遊技球Ａの進入方向に沿って移動することができる。  
【００６３】
作動部材２４が下降位置にあるとき、遊技球Ａが保留領域３９２に進入すると、遊技球Ａの前側の部分、すなわち載置部２４２の幅Ｗ１から飛び出た部分が検出部４２１ｃの当接面４２１ｄに当接することにより、検出レバー４２１は、遊技球Ａの自重をもって、図１２に示す待機位置から図１３に示す検出位置へ揺動し、アーム部４２１ｅが検出センサ４２２の検出部間に進入する。検出センサ４２２は、アーム部４２１ｅが検出部間に進入したことに基づいて、検出レバー４２１が検出位置に揺動したことを検出し、その検出信号を遊技盤６の裏側に設けられた制御回路部に送信する。制御回路部は、その検出信号に基づいて、上昇搬送機構２５に隣接して設けられた表示塔４３の内部に設けられた光源（図示略）を発光させ、遊技球Ａが上昇搬送機構２５により上方へ搬送される際の演出が行われる。そして、保留領域３９２に保留された遊技球Ａが、作動部材２４の上昇位置への移動に伴って、検出部４２１ｃに当接しつつ載置部２４２と共に上昇移動し、上昇位置で補助検出部４２１ｂに当接しつつ上昇搬送機構２５へ送出されると、検出レバー４２１は、錘４２３により待機位置に復帰する。
【００６４】
このように、本実施形態においては、リトライ通路３９を左から右に向けてほぼ直進移動した遊技球Ａの移動方向を、保留領域３９２内に一旦保留した後、作動部材２４における載置部２４２の上昇移動により、ほぼ直角な方向の上方へ方向転換させることができる。また、検出レバー４２１の検出部４２１ｃは、保留領域３９２の幅Ｗ内にあって、かつ載置部２４２の前方に配置されるため、載置部２４２の昇降動作に干渉することなく、保留領域３９２への遊技球Ａの保留状態を確実に検出することができる。また、遊技球Ａが載置部２４２と共に上昇移動した際、遊技球Ａが載置部２４２の上方を移動可能な補助検出部４２１ｂに当接して、遊技球Ａが載置部２４２を通り過ぎるような移動を阻止することができるため、遊技球Ａの載置部２４２からの脱落を防止することができる。さらには、検出レバー４２１における検出部４２１ｃの当接面４２１ｄを上述のように傾斜させたため、検出部４２１ｃと遊技球Ａとの当接を確実なものとして、検出レバー４２１を確実に待機位置から検出位置に移動させて、遊技球Ａの保留状態を確実に検出することができる。
【００６５】
主に図６に示すように、第３通路２６は、上昇搬送機構２５のキャリヤ２５４から放出された遊技球Ａを、特別遊技振分回転体１９の特別入賞口１９２に向けて放出するように、その排出部２６１が特別遊技振分回転体１９の上面のほぼ中心部に向いている。したがって、遊技球Ａが第３通路２６から放出されると、その遊技球Ａは、特別遊技振分回転体１９上を転動し、第２回転軸３０の回転タイミングと合えば特別入賞口１９２に入賞し、また、タイミングが合わなければ通常搬送部１９１に入球して、前述のように再び一次リトライ振分体２２、二次リトライ振分体２３により、はずれ領域部またはそれ以外の領域に振り分けられ、それ以外の領域に振り分けられた場合には、再び特別遊技振分回転体１９に返戻される。
【００６６】
次に、役物１０内に入球した遊技球Ａの一連の流れについて説明する。先ず遊技領域５に打ち込まれた遊技球Ａが第１始動口１１または第２始動口１２に入賞すると、それを契機に、羽根部材１５が１回または２回開閉動作する。そして、羽根部材１５が開閉動作しているとき、遊技球Ａが入口１４２から役物１４内に入球すると、その遊技球Ａは、導入口１４３を通過して第１通路１７に誘導され、回転している第１螺旋状回転体１８の螺旋状スロープ１８１に放出される。螺旋状スロープ１８１に放出された遊技球Ａは、螺旋軌道を描きながら下方へ転動して、螺旋状スロープ１８１の排出部１８１ａから特別遊技振分受皿３４内に放出され、特別遊技振分回転体１９の特定入賞口１９２または通常搬送部１９１のいずれかに入球する。
【００６７】
特別遊技振分回転体１９の特定入賞口１９２に入球した遊技球Ａは、第２通路２０を通って特別入賞検出センサ３５へ振り分けられ、また、通常搬送部１９１に入球した遊技球Ａは、リトライ抽選領域部１４Ａに向かう経路に振り分けられる。遊技球Ａが特別遊技振分回転体１９により特別入賞検出センサ３５に振り分けられた場合には、特別遊技状態の発生が確定し、また、リトライ抽選領域部１４Ａに向かう経路に振り分けられた場合には、振り分けられた全ての遊技球Ａに対して、再び特別遊技振分回転体１９による特別遊技抽選を受けることができるか否かのリトライ振分抽選のチャンスが与えられる。
【００６８】
リトライ抽選領域部１４Ａに向かう経路に振り分けられた遊技球Ａは、特別遊技振分受皿３４の通常落し孔３４２から第２螺旋状回転体２１の螺旋状スロープ２１１に落下して螺旋軌道を描きながら下方へ転動して、リトライ振分受皿３６内に放出され、一次リトライ振分体２２のはずれ搬送部２２１またはリトライ搬送部２２２のいずれかに入球する。ここで、一次リトライ振分体２２は、はずれを確定するか否かに振り分ける１回目のリトライ振分抽選を行い、はずれを確定しない領域に振り分けられた全ての遊技球Ａに対して、２回目のリトライ振分抽選のチャンスを与える。
【００６９】
一次リトライ振分体２２のはずれ搬送部２２１に入球した遊技球Ａは、はずれが確定するはずれ落し孔３６１を通って遊技盤６の裏側に排出され、また、リトライ搬送部２２２に入球した遊技球Ａは、リトライ落し孔３６２からリトライ通路３９に落下して、リトライ通路３９を右方へ向けて転動する。
【００７０】
一次リトライ振分体２２によりリトライ通路３９に振り分けられた遊技球Ａは、リトライ通路３９の分岐点に移動したとき、二次リトライ振分体２３がはずれ誘導位置にあれば、はずれが確定する排出口４０に誘導され、また、二次リトライ振分体２３がリトライ誘導位置にあれば上昇搬送機構２５へ向けて誘導される。ここで、二次リトライ振分体２３は、はずれを確定するか否かに振り分ける２回目のリトライ振分抽選を行い、はずれが確定しない領域に振り分けられた一部の遊技球Ａに対して、再び特別遊技抽選のチャンスを与える。
【００７１】
はずれが確定しない領域に振り分けられた遊技球Ａは、作動部材２４が下降位置にあれば、保留領域３９２に進入して載置部２４２に載置され、また、上昇位置にある場合には、作動部材２４の手前で一旦停止する。このとき、作動部材２４が下降位置になる以前に、二次リトライ振分体２３がリトライ誘導位置からはずれ誘導位置に移動した場合には、作動部材２４の手前で停止して待機している遊技球Ａは、排出口４０へ強制的に排出される。
【００７２】
保留領域３９２内に進入した遊技球Ａは、検出レバー４２１の検出部４２１ｃに当接する。これにより、検出レバー４２１は、待機位置から検出位置に移動し、この移動に基づいて、検出センサ４２２は遊技球Ａの保留状態を検出する。それを契機に、表示塔４３の光源が発光して、遊技球Ａが上昇搬送機構２５により上方へ搬送されることが演出表示される。そして、作動部材２４が上昇位置に移動すると、それに伴って、遊技球Ａは、載置部２４２共に上方移動して、上昇位置で上昇搬送機構２５の螺旋溝２５２ａとキャリヤ２５４との間に送り込まれて保持されることにより、螺旋杆２５２の回転に伴って螺旋溝２５２ａ内を漸次上昇して、キャリヤ２５４と共に上方へ搬送される。遊技球Ａが最上位置まで搬送されると、その遊技球Ａは螺旋溝２５２ａとキャリヤ２５４の間から第３通路２６に放出される。
【００７３】
第３通路２６に誘導された遊技球Ａは、特別遊技振分回転体１９に返戻される。この場合、第３通路２６の排出部２６１は、特別遊技振分回転体１９におけるほぼ中央に向いているため、第３通路２６から放出される遊技球Ａは、特定入賞口１９２に向けて放出される。したがって、遊技球Ａが特定入賞口１９２に入賞する確率は、第１螺旋状回転体１８から放出された際に行われる特別遊技抽選に比して、リトライ時での特別遊技抽選のときの方が高い。ここで、特定入賞口１９２に入球すれば、特別遊技状態の発生が確定し、また、通常搬送部１９１に入球すれば、再び一、二次振分体２２、２３により振り分けられ、運が良ければ再び特別遊技振分回転体１９に返戻されて、特別遊技抽選のチャンスを何回でも得ることができる。
【図面の簡単な説明】
【００７４】
【図１】本発明を適用した弾球遊技機の正面図である。
【図２】役物の拡大正面図である。
【図３】役物を斜め前方から見たその斜視図である。
【図４】役物内の要部を示す一部破断斜視図である。
【図５】役物における縦断面図である。
【図６】図２におけるVI−VI線横断面図である。
【図７】要部の斜視図である。
【図８】図２におけるVIII−VIII線横断面図である。
【図９】二次リトライ振分体がリトライ誘導位置にあるときの、二次リトライ振分体及びその周辺の要部を示す平面図である。
【図１０】作動部材及びその周辺の拡大平面図である。
【図１１】二次リトライ振分体がはずれ誘導位置にあるときの、二次リトライ振分体及びその周辺の要部を示す平面図である。
【図１２】作動部材が下降位置にあるときの、図８におけるXI−XI線縦断面図である。
【図１３】作動部材が上昇位置にあるときの、図８におけるXI−XI線縦断面図である。
【図１４】キャリヤが最下位置にあるときの、上昇搬送機構及びその周辺の要部を示す斜視図である。
【図１５】キャリヤが上昇途中にあるときの、上昇搬送機構及びその周辺の要部を示す斜視図である。
【図１６】図１４におけるXIV矢視図である。
【図１７】検出レバーが待機位置にあるときの、検出装置及びその周辺の要部の斜視図である。
【図１８】検出レバーが検出位置にあるときの、検出装置及びその周辺の要部の斜視図である。
【符号の説明】
【００７５】
１  パチンコ機（弾球遊技機）
２  外枠
３  外側ガイドレール
４  内側ガイドレール
５  遊技領域
６  遊技盤
７  ガラス枠扉
８  球貯留皿
９  操作ハンドル
１０  役物
１１  第１始動口
１２  第２始動口
１３  アウト口
１４  ハウジング
１４Ａ  リトライ抽選領域部
１５  羽根部材
１６ａ、１６ｂ  リンク
１７  第１通路
１８  第１螺旋状回転体
１９  特別遊技振分回転体
２０  第２通路
２１  第２螺旋状回転体
２２  一次リトライ振分体（リトライ振分構造体）
２３  二次リトライ振分体（リトライ振分構造体）
２４  作動部材
２５  上昇搬送機構
２６  第３通路
２７  第１回転軸
２８  第１モータ
２９  ギヤ
３０  第２回転軸
３１  ギヤ
３２  中間ギヤ
３３  ギヤ
３４  特別遊技振分受皿
３５  特別入賞検出センサ（特定領域部）
３６  リトライ振分受皿
３７  支軸
３９  リトライ通路（リトライ領域）
４０  排出口
４１  搬送カバー
４２  検出装置
４３  表示塔
５０  振分駆動構造体（駆動構造体）
１４２  入口
１４３  導入口
１４４  区画板
１４５  排出ガイド部
１４６  カバー部
１４７  押出片
１５１  支軸
１８１  螺旋状スロープ
１８１ａ  排出部
１９１  通常搬送部
１９２  特定入賞口
２１１  螺旋状スロープ
２１１ａ  排出部
２２１  はずれ搬送部
２２２  リトライ搬送部
２３１  軸
２３２  誘導部
２３３  アーム部
２３４  ばね
２４１  軸
２４２  載置部
２５１  第３回転軸
２５２  螺旋杆
２５２ａ  螺旋溝
２５３  支持棒
２５４  キャリヤ
２５４ａ  保持部
２５４ｂ  表示部
２６１  排出部
２８１  ギヤ
３０１  トンネル
３０２  障害部
３４１  特定落し孔
３４２  通常落し孔
３６１  はずれ落し孔（はずれ領域部）
３６２  リトライ落し孔
３９１  窓部
３９２  保留領域
４１２  排出口
４１３  段差部
４２１  検出レバー
４２１ａ  軸
４２１ｂ  補助検出部
４２１ｃ  検出部
４２１ｄ  当接面
４２１ｅ  アーム部
４２２  検出センサ
４２３  錘
５０１  第２モータ
５０２  ピニオン
５０３  第１ギヤ
５０４  第２ギヤ（作動部材用ギヤ）
５０４ａ  突条部
５０４ｂ  係合突部
５０５  第３ギヤ（螺旋杆用ギヤ）
５０６  第４ギヤ
５０７  第５ギヤ
Ａ  遊技球
【図１】
2009028121.tif 000003
【図２】
2009028121.tif 000004
【図３】
2009028121.tif 000005
【図４】
2009028121.tif 000006
【図５】
2009028121.tif 000007
【図６】
2009028121.tif 000008
【図７】
2009028121.tif 000009
【図８】
2009028121.tif 000010
【図９】
2009028121.tif 000011
【図１０】
2009028121.tif 000012
【図１１】
2009028121.tif 000013
【図１２】
2009028121.tif 000014
【図１３】
2009028121.tif 000015
【図１４】
2009028121.tif 000016
【図１５】
2009028121.tif 000017
【図１６】
2009028121.tif 000018
【図１７】
2009028121.tif 000019
【図１８】
2009028121.tif 000020